(57)【要約】  【目的】電源制御信号によって確実にマイコンをリセットできるリセット信号生成手段を備える電源供給装置を提供する。  【構成】電源供給装置２０は、電源スイッチ９によって起動する電源整流回路４と、外部からの電源制御信号Ｓpcを微分用電解コンデンサＣ１で微分して時定数回路１１で定まる所定時間だけトランジスタＱ２の出力から生成されるトリガーパルスＰ１で電源スイッチ９をオンさせることによって電源整流回路４を起動し、起動後は電源整流回路４から電源スイッチ９に電圧が供給されて起動状態を維持し、電源制御信号Ｓpcがオフになると電源スイッチ９をオフする電源コントロール回路１３と、電源制御信号Ｓpcの立ち上がり時に時定数回路１１で定まる所定時間だけ電源整流回路４の電源電圧ＶＤＤから生成されるパルスＰ２をリセット信号／ＲＳＴとして出力するマイコンリセット信号生成手段１２と、を備える。【選択図】  図１
2005285041.tif 000002
【特許請求の範囲】
【請求項１】
電源スイッチによって起動する電源整流回路と、
入力された外部からの電源制御信号の立ち上がりを微分して、時定数回路で定まる所定時間だけ生成される電源制御信号レベルのトリガーパルスを、前記電源スイッチに加えてオンさせることによって前記電源整流回路を起動し、起動後は前記電源整流回路から前記電源スイッチに電圧が供給されて起動状態を維持し、前記電源制御信号がオフになると強制的に前記電源スイッチをオフして前記電源整流回路を停止させる電源コントロール回路と、
前記電源制御信号の立ち上がり時に、前記電源コントロール回路における前記時定数回路で定まる所定時間だけ生成されるパルスを、マイクロコンピュータのリセット信号として出力するマイクロコンピュータリセット信号生成手段と、を備えることを特徴とする電源供給装置。
【発明の詳細な説明】
【技術分野】
【０００１】
本発明は、機器に内蔵されているマイクロコンピュータを機器の電源整流回路の起動時にリセットするマイクロコンピュータリセット信号を生成する手段を備える電源供給装置に関する。
【背景技術】
【０００２】
ホームシアターシステムやオーディオシステム等のＡＶ機器システムにおいて、電源供給等のコントロールに主従の関係を有する所謂マスター機器とスレーブ機器からなるシステムがある。
【０００３】
このシステムでは、スレーブ機器の電源整流回路（電源回路ともいう。）をオンさせるための電源制御信号（例えば１２Ｖ／０Ｖの２値信号）がマスター機器側から出力され、スレーブ機器側はこの電源制御信号が入力されているオン状態（１２Ｖ入力）で、電源コントロール回路が電流整流回路を起動させ、該電流整流回路が１００Ｖ商用交流電源を変圧・整流・平滑して５Ｖ或いは１２Ｖ等の直流電圧をスレーブ機器の各回路に供給している。そして、前記電源制御信号がオフ（０Ｖ）になると、前記電源コントロール回路が前記電源整流回路をオフしてスレーブ機器を停止させるのである。
【０００４】
従来は、上記スレーブ機器の電源整流回路の起動時にスレーブ機器の備えるマイクロコンピュータをリセットする手段として、前記電源整流回路が起動してマイクロコンピュータに供給される電源電圧が一定値（例えば４Ｖ）に達したことを検出してリセット信号／ＲＳＴを出力する所謂リセットＩＣを使用して前記マイクロコンピュータのリセット入力端子に入力しているものが多い。
【０００５】
このマイクロコンピュータリセット信号生成手段に関する公知文献としては、例えば、下記［特許文献１］にマイクロコンピュータのリセットを短時間で行い、スイッチの応答性を高速化するマイクロコンピュータリセット回路が記載されている。
【０００６】
【特許文献１】特開２０００−２５０６６２号公報
【発明の開示】
【発明が解決しようとする課題】
【０００７】
上記リセットＩＣを使用しているスレーブ機器では、電源制御信号の素早いオン／オフの場合に、マイクロコンピュータに供給されている電源電圧ＶＤＤが追従しないため、リセット信号／ＲＳＴを発生できずにリセットが掛からないことがあった。
【０００８】
例えば、ＤＶＤビデオ再生機をマスター機器とし、電源整流回路、パワーアンプやマイクロコンピュータ等を内蔵するサブウーハーを一つのスレーブ機器とするホームシアターシステムにおいては、ユーザーがヘッドホンで音声を聴く場合には、上記ＤＶＤビデオ再生機側に備えられたヘッドホン駆動用アンプを使用するので、スピーカ駆動用のサブウーハー内蔵アンプは使用しない。そのため、サブウーハー内蔵アンプの電源を切り省電力を図るために、電源制御信号を０Ｖ（ローレベル）にしている。
【０００９】
そしてユーザーがヘッドホンのプラグを短時間だけ差して抜くと電源制御信号もパルス状に変化する。
【００１０】
この場合、前記ＤＶＤビデオ再生機からサブウーハーに電源制御信号が短いローレベルのパルスとなって入力され、サブウーハーは一旦電源整流回路がオフして、また直ぐにオンするという状況になる。この際に、サブウーハーのマイクロコンピュータに供給されている電源電圧ＶＤＤは、電源オフの期間でも回路の容量で直ぐには立ち下がらず、リセットＩＣは電源整流回路のオフを検知できないのでリセット信号が出力されないことになる。その結果、マイクロコンピュータにリセットが掛からず動作が不安定な状態に陥る（所謂リセット不良が発生する。）。
【００１１】
回路にて上記状況を具体的に説明すると、図３に示されるような外部からの電源制御信号Ｓpcで電源制御される回路構成のスレーブ機器における電源整流回路４と電源コントロール回路３からなる電源供給装置５とマイクロコンピュータ１を考えた場合、マイクロコンピュータリセット信号／ＲＳＴの生成手段２は、マイクロコンピュータ１に供給される電源電圧ＶＤＤ（例えば定常状態で５Ｖ印加）を検知するリセットＩＣ６からなり、図４に示される電圧波形図のように、ＶＤＤ＝４．０Ｖを閾値として、ＶＤＤが４Ｖ以上であればハイであり、４Ｖ未満であればローとなるリセット信号／ＲＳＴを出力する。上記マイクロコンピュータ１にリセットが掛かるのは／ＲＳＴがローからハイに立ち上がる時である。こうして、機器のマイクロコンピュータ１の電源電圧ＶＤＤが正常動作に十分な閾値電圧（４Ｖ）以上になったことを確認した上で、リセットが掛かるようにしている。
【００１２】
ところが、図５の各信号及び図３の回路の各点Ａ、Ｂ、Ｄの電圧波形のタイミングチャートに示されるように、電源制御信号Ｓpc（１２Ｖ）が短く断続するチャタリングがあった場合（前述のようにヘッドホンジャックを短時間で差し抜きした場合等）には、電源コントロール回路３のＮＰＮトランジスタＱ１がオフして電源スイッチ９が切れ、電源整流回路４が一旦オフした場合であっても、電源整流回路４から供給されている電源電圧ＶＤＤは閾値電圧４．０Ｖを下らず直ぐに５Ｖに復帰するので、当然リセットＩＣ６は電源整流回路４のオフを検知せず、マイクロコンピュータ１のリセットは掛からなくなる。
【００１３】
本発明は、上記マスター機器とスレーブ機器とで構成されるシステムにおけるような不具合に鑑みて為されたものであり、機器に備わるマイクロコンピュータの電源整流回路のオフからオンへの起動時にリセットが確実に掛かるようにしたマイクロコンピュータリセット信号生成手段を備える電源供給装置を提供することを目的とする。
【課題を解決するための手段】
【００１４】
本発明は、上記課題を解決するために、電源スイッチ９によって起動する電源整流回路４と、入力された外部からの電源制御信号Ｓpcの立ち上がりを微分して、時定数回路１１で定まる所定時間Ｔ１だけ生成される電源制御信号レベルのトリガーパルスＰ１を、前記電源スイッチ９に加えてオンさせることによって前記電源整流回路４を起動し、起動後は前記電源整流回路４から前記電源スイッチ９に電圧が供給されて起動状態を維持し、前記電源制御信号Ｓpcがオフになると強制的に前記電源スイッチ９をオフして前記電源整流回路４を停止させる電源コントロール回路１３と、前記電源制御信号Ｓpcの立ち上がり時に、前記電源コントロール回路１３における前記時定数回路１１で定まる所定時間Ｔ２だけ生成されるパルスＰ２を、マイクロコンピュータ１のリセット信号／ＲＳＴとして出力するマイクロコンピュータリセット信号生成手段１２と、を備えることを特徴とする電源供給装置２０を提供する。
【発明の効果】
【００１５】
本発明に係る電源供給装置は、上記のように電源コントロール回路を利用したマイクロコンピュータリセット信号発生手段を備える回路構成のため、以下の効果を有する
（１）マイクロコンピュータの確実なリセットが行えるのでマイクロコンピュータの動作が安定する。
（２）リセットＩＣを使用しないのでコストダウンが図れる。
【発明を実施するための最良の形態】
【００１６】
本発明に係る電源供給装置の最良の実施の形態について図面に基づいて説明する。なお、先に説明した図３に示される電源供給装置の回路図における同等箇所については同符号で示す。
【００１７】
図１は本発明に係る電源供給装置の回路図である。図２はチャタリングが入った電源制御信号Ｓpcと本発明に係る電源供給装置の回路における各点Ａ、Ｂ、Ｃ及び電源電圧ＶＤＤの電圧波形のタイムチャートである。
【００１８】
図１または図２において、本発明の電源供給装置２０は、１００Ｖ商用交流電源を入力するトランス変圧回路とブリッジダイオード整流回路と平滑回路と５Ｖ定電圧回路７及び１２Ｖ定電圧回路８からなり、リレー回路からなる電源スイッチ９のオン／オフによって起動する電源整流回路４と、入力された外部からの電源制御信号Ｓpc（１２Ｖ／０Ｖの矩形パルス信号であり、ある程度の電流供給能力を有する信号）の立ち上がりを微分用電解コンデンサＣ１で微分して該微分用電解コンデンサＣ１と分圧抵抗Ｒ１、Ｒ２によって構成される時定数回路１１で定まる所定時間Ｔ１だけＰＮＰトランジスタＱ２の出力から生成される電源制御信号レベル（１２Ｖ）のトリガーパルスＰ１を前記電源スイッチ９に加えてオンさせることによって前記電源整流回路４を起動し、起動後は前記電源整流回路４から前記電源スイッチ９に電圧が供給されて起動状態を維持し、前記電源制御信号Ｓpcがオフになると強制的に前記電源スイッチ９をオフして前記電源整流回路４を停止させる電源コントロール回路１３と、前記電源制御信号Ｓpcの立ち上がり時に前記電源コントロール回路１３における前記時定数回路１１で定まる所定時間Ｔ２だけ、例えば前記電源整流回路４の出力の電源電圧ＶＤＤから生成されるパルスＰ２をマイクロコンピュータ１のリセット信号／ＲＳＴとして出力するマイクロコンピュータリセット信号生成手段１２と、を備える構成である。
【００１９】
この図１の回路において、ＮＰＮトランジスタＱ１はツェナーダイオードＤｚを介して前記電源制御信号Ｓpcがハイレベルである場合にのみオンして、ローレベル時は電源スイッチ９を強制的にオフさせるものであり、ＮＰＮトランジスタＱ３はトランジスタＱ２のドライブ用である。
【００２０】
また、前記電源制御信号Ｓpcがハイレベルとなると、Ｑ１、Ｑ２、Ｑ３は直ちにオンして、トリガーパルスＰ１が電源スイッチ９に加わるが、それから１秒程度の後、時定数回路１１の微分用電解コンデンサＣ１が十分に充電されるとＱ３がオフしてＱ２もオフする。その時点では、既に電源整流回路４は起動して１２Ｖ電源電圧が電源スイッチ９に加わっているので、電源整流回路４自体の起動状態はＱ１がオンしている限り維持される。
【００２１】
上記回路で特徴的なのは、マイクロコンピュータ１のリセット信号生成手段として、電源コントロール回路１３におけるトリガーパルスＰ１を生成する回路における時定数回路１１を利用して、電源制御信号Ｓpcがチャタリングを伴う場合に必ずドライブ用ＮＰＮトランジスタＱ３が所定時間Ｔ２（約１秒程度であり、概ねＴ１に等しい。）オンすることに着目して、電源電圧ＶＤＤを抵抗Ｒ３を介して前記ドライブ用ＮＰＮトランジスタＱ３のコレクタ側のＣ点に接続することにより、図２に示される５ＶからＴ２期間だけ０ＶとなるパルスＰ２を得て、これをマイクロコンピュータリセット信号（立ち上がりがリセット時となる）とする前記マイクロコンピュータリセット信号生成手段１２を備えていることである。これによって、電源制御信号Ｓpcが素早いオフ／オンのチャタリングを伴う場合にも、必ずリセットが掛かるので確実なリセット動作が出来る。その結果、マイクロコンピュータ１のリセット不良が解消され、安定した動作が得られることになる。
【００２２】
また、上記構成の電源供給装置２０は、回路素子の付加は殆どなく、従来要していたリセットＩＣが不要となるので、コスト低減の利点が得られる。
【００２３】
なお、この電源供給装置２０は、本実施の形態の例のようにマスター機器からの電源制御信号Ｓpcが入力されるスレーブ機器において特に有益である。
【図面の簡単な説明】
【００２４】
【図１】本発明に係る電源供給装置の回路図である。
【図２】電源制御信号Ｓpcと本発明に係る電源供給装置の回路における各点Ａ、Ｂ、Ｃ及び電源電圧ＶＤＤの電圧波形のタイムチャートである。
【図３】外部からの電源制御信号で電源制御されるスレーブ機器における電源整流回路と電源コントロール回路からなる電源供給装置とマイクロコンピュータからなる回路図例である。
【図４】電源電圧ＶＤＤとリセット信号／ＲＳＴの電圧波形図である。
【図５】電源制御信号、各点Ａ、Ｂ、Ｄ、ＶＤＤ、リセット信号の各電圧波形のタイミングチャートである。
【符号の説明】
【００２５】
１      マイクロコンピュータ
２、１２      マイクロコンピュータリセット信号生成手段
３、１３      電源コントロール回路
４      電源整流回路
５      電源供給装置
６      リセットＩＣ
７      ５Ｖ定電圧回路
８      １２Ｖ定電圧回路
９      電源スイッチ
１１      時定数回路
２０      電源供給装置
Ｃ１      微分用電解コンデンサ
Ｄｚ      ツェナーダイオード
Ｒ１、Ｒ２      分圧抵抗
Ｓpc      電源制御信号
／ＲＳＴ      マイクロコンピュータリセット信号
ＶＤＤ      電源電圧
Ｑ１、Ｑ３      ＮＰＮトランジスタ
Ｑ２      ＰＮＰトランジスタ
Ｐ１      トリガーパルス
Ｐ２      パルス
【図１】
2005285041.tif 000003
【図２】
2005285041.tif 000004
【図３】
2005285041.tif 000005
【図４】
2005285041.tif 000006
【図５】
2005285041.tif 000007